(57)【要約】【課題】簡単な構成で防水効果を確実に発揮しながらビスを弛み止めする。【解決手段】第２の筐体５に、第１ビス１０の雄ネジ部１２が挿通される第１ネジ挿通孔１４と、この第１ネジ挿通孔１４と同心に第１環状凹部１６を形成する。レール部材４に雄ネジ部１２が締結されるナット１５を設ける。ネジ頭１３の第１ネジ挿通孔１４周縁側に雄ネジ部１２をナット１５に締結したときに第１環状凹部１６内に充填されると共に固化する弛み止め剤１８を塗布する。【選択図】図５
2014084943.tif 000002
【特許請求の範囲】
【請求項１】
雄ネジ部及び該雄ネジ部よりも大きい外径で該雄ネジ部に連続するネジ頭を有するビスと、
上記雄ネジ部が挿通されるネジ挿通孔及び該ネジ挿通孔周縁に該ネジ挿通孔と同心に形成された環状凹部を有する携帯端末本体と、
上記雄ネジ部が締結される雌ネジ部を有する被締結部材と、
上記ネジ頭の上記ネジ挿通孔周縁側に塗布され、上記雄ネジ部を上記雌ネジ部に締結したときに上記環状凹部内に充填されると共に固化する弛み止め剤とを備えている
ことを特徴とする携帯端末。
【請求項２】
請求項１に記載の携帯端末において、
上記環状凹部は、同心で異なる直径の複数のリブにより形成されている
ことを特徴とする携帯端末。
【請求項３】
請求項１に記載の携帯端末において、
上記環状凹部は、
上記ネジ頭の外径よりも大きい内径を有する１つの円形リブと、
上記ネジ挿通孔周縁に上記円形リブに向かって徐々に深くなるテーパ面とで形成されている
ことを特徴とする携帯端末。
【請求項４】
請求項１から３までのいずれか１つに記載の携帯端末において、
上記弛み止め剤は、エポキシ樹脂マイクロカプセルを含有し、
上記締結時に上記エポキシ樹脂マイクロカプセルが破れることで固化が開始されるように構成されている
ことを特徴とする携帯端末。
【発明の詳細な説明】
【技術分野】
【０００１】
本発明は、ビス締結構造を有する携帯端末に関するものである。
【背景技術】
【０００２】
従来より、防水機能を有する携帯端末では、ビスの雄ネジ部に弛み止め剤を塗布し、ビス貫通孔周縁に当接する部分に防水用Ｏリングを嵌め込むことが知られている。
【０００３】
一方、特許文献１のように、有機溶剤を内包したマイクロカプセルと有機溶剤に溶解する樹脂組成物又はゴム組成物とからなるシール材の乾燥皮膜をネジのネジ部に形成したサッシ枠のシール固定用ネジが知られている。
【先行技術文献】
【特許文献】
【０００４】
【特許文献１】特開平０８−２１４２９号公報
【発明の概要】
【発明が解決しようとする課題】
【０００５】
しかしながら、従来の携帯端末では、防水用Ｏリングが必須となって部品点数が増えると共に、防水用Ｏリングがあるために十分な締め付け力を確保できないという問題がある。
【０００６】
一方、上記特許文献１のサッシ枠のシール固定用ネジは、ねじ込んだときに均一に回らず、ネジ頭が孔の周縁と密着した部分と、していない部分とで接着ムラができてしまう。このため、簡易な防水としての用途に限られてしまい、ケータイ端末のように僅かな水の浸入も許されないものには適さない。
【０００７】
本発明は、かかる点に鑑みてなされたものであり、その目的とするところは、簡単な構成で防水効果を確実に発揮しながらビスを弛み止めすることにある。
【課題を解決するための手段】
【０００８】
上記の目的を達成するために、この発明では、ビス頭に塗った弛み止め剤がビス挿通孔周縁に適度に充填された状態で締結するようにした。
【０００９】
具体的には、第１の発明では、
雄ネジ部及び該雄ネジ部よりも大きい外径で該雄ネジ部に連続するネジ頭を有するビスと、
上記雄ネジ部が挿通されるネジ挿通孔及び該ネジ挿通孔周縁に該ネジ挿通孔と同心に形成された環状凹部を有する携帯端末本体と、
上記雄ネジ部が締結される雌ネジ部を有する被締結部材と、
上記ネジ頭の上記ネジ挿通孔周縁側に塗布され、上記雄ネジ部を上記雌ネジ部に締結したときに上記環状凹部内に充填されると共に固化する弛み止め剤とを備えている。
【００１０】
上記の構成によると、環状凹部内にムラなく充填されて固化した弛み止め剤により、防水効果及び弛み止め効果が得られるので、従来のようにＯリングを設けなくてもよい。
【発明の効果】
【００１１】
以上説明したように、本発明によれば、ネジ頭のネジ挿通孔周縁側に弛み止め剤を塗布し、雄ネジ部を雌ネジ部に締結したときに環状凹部内に充填されると共に固化するようにしたことにより、簡単な構成で防水効果を確実に発揮しながらビスを弛み止めすることができる。
【図面の簡単な説明】
【００１２】
【図１】本発明の実施形態に係る携帯電話機の第２の筐体の要部を背面側から見た斜視図である。
【図２】第２の筐体の要部を正面側から見た斜視図である。
【図３】リアカバーを省略した図１相当図である。
【図４】図３の正面図である。
【図５】図４のＶ−Ｖ線拡大断面である。
【図６】第１ビス及びその周辺を拡大して示す斜視図である。
【図７】第１ビスを省略した図６相当図である。
【図８】図４のVIII−VIII線拡大断面である。
【図９】第２ビス及びその周辺を拡大して示す斜視図である。
【図１０】第２ビスを省略した図９相当図である。
【図１１】弛み止め剤を塗布した第１ビスを拡大して示す斜視図である。
【発明を実施するための形態】
【００１３】
以下、本発明の実施形態を図面に基づいて説明する。
【００１４】
図１は、本発明の実施形態に係る携帯電話機の第２の筐体の要部を背面側から見た斜視図であり、図２は、第２の筐体の要部を正面側から見た斜視図である。詳しくは図示しないが、この携帯電話機は、表示部を有する第１の筐体がスライド機構（被締結部材としてのレール部材４のみ示す）によって操作部を有する携帯端末本体としての第２の筐体５とスライド可能に連結されている。第２の筐体５の背面側は、リアカバー６で覆われている。
【００１５】
図３は、リアカバー６を省略した図１相当図である。締結ネジ７をリアカバー６に通して第２の筐体５のボス部８に締結することで、リアカバー６が第２の筐体５に固定されている。
【００１６】
図４は、図３の正面図であり、図５は、図４のＶ−Ｖ線拡大断面である。リアカバー６と第２の筐体５との間は、枠状の防水パッキン９により、防水されている。
【００１７】
図６は、第１ビス及びその周辺を拡大して示す斜視図であり、図７は、第１ビスを省略した図６相当図である。図８は、図４のVIII−VIII線拡大断面であり、図９は、第２ビス及びその周辺を拡大して示す斜視図であり、図１０は、第２ビスを省略した図９相当図である。レール部材４は、第１ビス１０、第２ビス１１等により、第２の筐体５に固定されている。レール部材４は、スライド機構の一部を構成するので、ぐらつきが許されず、レール部材４は、堅固に第２の筐体５に固定されると共に、防水機能も発揮する必要がある。図１１は、弛み止め剤を塗布した第１ビス１０を拡大して示す斜視図である。第１ビス１０及び第２ビス１１は、それぞれ雄ネジ部１２と、この雄ネジ部１２よりも大きい外径で雄ネジ部１２に連続するネジ頭１３とを有する。なお、本実施形態のように、ネジ頭１３と雄ネジ部１２との間にネジのない軸部分があってもよい。
【００１８】
第１ビス１０は、第２の筐体５に形成した第１ネジ挿通孔１４に挿通される。第１ネジ挿通孔１４に対応してレール部材４にナット１５が溶接等により固着されている。この第１ネジ挿通孔１４の周縁には、この第１ネジ挿通孔１４と同心に第１環状凹部１６が形成されている。第１環状凹部１６は、第１ネジ挿通孔１４と同心で異なる直径の複数のリブ１７により形成されている。すなわち、図７に示すように、複数のリブ１７を第１ネジ挿通孔１４の周囲に立設することで、各リブ１７で囲まれる内径の異なる例えば３つの円環溝状よりなる第１環状凹部１６が形成されている。
【００１９】
図１１は、弛み止め剤１８を塗布した第１ビス１０を拡大して示す斜視図である。この第１ビス１０のネジ頭１３の第１ネジ挿通孔１４周縁側（裏側）には、予め弛み止め剤１８が塗布されている。この弛み止め剤１８は、エポキシ樹脂マイクロカプセルを含有した接着剤のようなもので、エポキシ樹脂マイクロカプセルが破れない限り、完全には固化しない状態で膜状に設けられている。そして、弛み止め剤１８は、第１ビス１０の締結時に複数のリブ１７の先端等により押し付けられながら各第１環状凹部１６に流れ込み、エポキシ樹脂マイクロカプセルが破れることで固化が開始されるように構成されている。固化が完了すると、第１環状凹部１６内に充填された複数の環状の弛み止め剤１８により、防水効果と弛み止め効果とが得られるようになっている。
【００２０】
同様に、図８及び図９に示すように、第２ビス１１は、第２の筐体５に形成した第２ネジ挿通孔１９に挿通される。第２ネジ挿通孔１９に対応してレール部材４にナット１５が溶接等により固着されている。この第２ネジ挿通孔１９の周縁には、ネジ頭１３の外径よりも大きい内径を有する１つの円形リブ２０が立設されている。そして、図１０にも示すように、第２ネジ挿通孔１９周縁に円形リブ２０に向かって徐々に深くなるテーパ面２１が形成されている。これら円形リブ２０の内周面とテーパ面２１とで第２ネジ挿通孔１９と同心に第２環状凹部２２が形成されている。そして、予め弛み止め剤１８が塗布された第２ビス１１をナット１５に締め付けていくと、第２ネジ挿通孔１９の周縁がネジ頭１３に当接するまで締め付けられる。この当接面においては、弛み止め剤１８はほぼ押し出されるが、第２環状凹部２２内のスペースに弛み止め剤１８が圧縮されながら充填される。このとき、エポキシ樹脂マイクロカプセルが破れて固化が開始される。このことで、第２ネジ挿通孔１９の周縁に環状に固化した弛み止め剤１８が所定の厚さで確保されるので、弛み止め及び防水の機能が発揮される。
【００２１】
−実施形態の効果−
第１環状凹部１６は、同心で異なる直径の複数のリブ１７により形成されている。この構成によると、複数のリブ１７の先端がネジ頭１３に当接した状態で第１ビス１０が締結されたときに、複数のリブ１７間に充填された弛み止め剤１８により、防水効果が発揮される。
【００２２】
第２環状凹部２２は、ネジ頭１３の外径よりも大きい内径を有する１つの円形リブ２０と、第２ネジ挿通孔１９周縁に円形リブ２０に向かって徐々に深くなるテーパ面２１とで形成されている。この構成によると、１つの円形リブ２０とテーパ面２１とで形成された第２環状凹部２２内に弛み止め剤１８が充填されて固化するので、確実に防水効果及び弛み止め効果が得られる。
【００２３】
また、弛み止め剤１８は、エポキシ樹脂マイクロカプセルを含有し、第１ビス１０又は第２ビス１１の締結時にエポキシ樹脂マイクロカプセルが破れることで固化が開始されるように構成されている。この構成によると、締結に伴って第１及び第２環状凹部１６，２２内に充填された弛み止め剤１８が圧縮されてエポキシ樹脂マイクロカプセルが破れ、固化するので、第１及び第２ビス１０，１１が確実に弛み止めされる。
【００２４】
このように、本実施形態では、第１及び第２環状凹部１６，２２内に充填されて固化した弛み止め剤１８により、防水効果及び弛み止め効果が得られるので、従来のようにＯリングを設けなくてもよい。
【００２５】
したがって、本実施形態に係る携帯端末によると、ネジ頭１３の第１及び第２ネジ挿通孔１４，１９周縁側に弛み止め剤１８を塗布し、雄ネジ部１２をナット１５に締結したときに第１及び第２環状凹部１６，２２内に充填されると共に固化するようにしたことにより、簡単な構成で防水効果を確実に発揮しながらビスを弛み止めすることができる。
【００２６】
（その他の実施形態）
本発明は、上記実施形態について、以下のような構成としてもよい。
【００２７】
すなわち、上記実施形態では、スライド式携帯電話機の第２の筐体５における締結構造について説明したが、携帯電話機の構造は、折畳み式携帯電話機、ストレート式携帯電話機等特に限定されない。また、本実施形態では、被締結部材はレール部材４とし、携帯端末本体は、第２の筐体５としたが、これに限定されない。要は、防水及び弛み止めを必要とする締結場所であれば本発明を適用できる。
【００２８】
また、上記実施形態では、被締結部材をレール部材とし、携帯端末本体を第２の筐体５としたが、これに限定されず、防水効果と弛み止め効果とを発揮させたい締結部位であればよい。
【００２９】
また、上記実施形態では、説明のために第１及び第２ビス１０，１１で異なる形状の環状凹部を設けているが、両方ともどちらかの形状としてもよい。
【００３０】
また、上記実施形態では、弛み止め剤１８をエポキシ樹脂マイクロカプセルを含有するものとしたが、材質はこれに限定されず、その他の材料のマイクロカプセルを用いてもよい。要は、締結後に完全な固化が行われる弛み止め剤であればよい。
【００３１】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３３】
４      レール部材（被締結部材）
５      第２の筐体（携帯端末本体）
１０      第１ビス
１１      第２ビス
１２      雄ネジ部
１３      ネジ頭
１４      第１ネジ挿通孔
１５      ナット（雌ネジ部）
１６      第１環状凹部
１７      複数のリブ
１８      抜け止め剤
１９      第２ネジ挿通孔
２０      円形リブ
２１      テーパ面
２２      第２環状凹部
【図１】
2014084943.tif 000003
【図２】
2014084943.tif 000004
【図３】
2014084943.tif 000005
【図４】
2014084943.tif 000006
【図５】
2014084943.tif 000007
【図６】
2014084943.tif 000008
【図７】
2014084943.tif 000009
【図８】
2014084943.tif 000010
【図９】
2014084943.tif 000011
【図１０】
2014084943.tif 000012
【図１１】
2014084943.tif 000013